(57)【要約】【課題】引っ掛け対象の孔部の近傍に障害物が存在するような場合でも、引っ掛けが可能になる引っ掛け具を提供する。【解決手段】引っ掛け具１は、２個の引っ掛け部材１０を相互に回動自在に重ね合わせて成るものである。各引っ掛け部材１０は、その長手方向の先端側に係止部１１を有し、中間部に押し操作部１２を有し、後端側に貫通孔１３を有している。また、各引っ掛け部材１０の上記押し操作部１２よりも上記貫通孔１３側寄りの位置には、連結用貫通部が形成されている。上記連結用貫通部に挿入されてかしめられたリベット等の軸部材１４によって、上記２個の重ね合わされた引っ掛け部材１０が相互に回動可能とされている。両引っ掛け部材１０を重ねた状態で両係止部１１による係止幅を広げることにより、引っ掛け対象５の孔部５１への上記係止部１１による引っ掛け状態が形成される．【選択図】図３
2019044344.tif 000002
【特許請求の範囲】
【請求項１】
係止部を有する引っ掛け部材を複数組み合わせて成り、上記複数の引っ掛け部材が上記係止部を互いに離間させて係止幅が広がることにより、引っ掛け対象の孔部への上記係止部による引っ掛け状態が形成されることを特徴とする引っ掛け具。
【請求項２】
請求項１に記載の引っ掛け具において、各引っ掛け部材には貫通孔が形成されており、上記複数の引っ掛け部材が重ねられて上記係止部による係止幅を広げた状態で上記貫通孔が重なり、この重なった貫通孔に挿入される部材により、上記係止部による係止幅を広げた状態が保持されることを特徴とする引っ掛け具。
【請求項３】
請求項１または請求項２に記載の引っ掛け具において、上記複数の引っ掛け部材が相互に回動可能となるように連結されていることを特徴とする引っ掛け具。
【請求項４】
請求項３に記載の引っ掛け具において、上記複数の引っ掛け部材が軸部材によって相互に回動可能とされることを特徴とする引っ掛け具。
【請求項５】
請求項３または請求項４に記載の引っ掛け具において、第１の回動状態で上記係止幅が広がる状態が形成され、第２の回動状態で上記係止幅が狭まり、上記複数の引っ掛け部材の係止部を同時に上記孔部へ挿通できる状態が形成されることを特徴とする引っ掛け具。
【請求項６】
請求項１または請求項２に記載の引っ掛け具において、上記複数の引っ掛け部材が分離状態にまたは分離可能に設けられており、個別に上記孔部へ挿入できることを特徴とする引っ掛け具。
【請求項７】
請求項１〜請求項６のいずれか１項に記載の引っ掛け具において、上記複数の引っ掛け部材の形状が同一形状であることを特徴とする引っ掛け具。
【請求項８】
上記引っ掛け対象を建物の構造材とし、建物の建築途中に設けられる安全ネットの取り付けに使用されることを特徴とする請求項１〜請求項７のいずれか１項に記載の引っ掛け具。
【発明の詳細な説明】
【技術分野】
【０００１】
この発明は、引っ掛け対象の孔部に引っ掛けられる引っ掛け具に関する。
【背景技術】
【０００２】
特許文献１には、住宅等建築工事の作業中における作業者や作業用工具などの落下によって引き起こされる危険から作業者の安全を確保するための安全ネットを吊り下げる吊り金具が開示されている。この吊り金具は、ロープ空間を有するよう略Ｓ字状に形成され、一端を建築中の梁の所定位置に掛止し、他端に建築物工事用安全ネットを吊り下げるようになっている。
【０００３】
また、特許文献２には、鉄骨梁に対して簡単に着脱でき且つ再利用でき、構成も簡単であり、フック部材の方向が可変で無理な荷重が作用せず、確実なネットの支持が行えるネット吊り下げ金具が開示されている。
【先行技術文献】
【特許文献】
【０００４】
【特許文献１】特許第３９１５０９８号
【特許文献２】特開平１０−１３１５１０号公報
【発明の概要】
【発明が解決しようとする課題】
【０００５】
しかしながら、上記特許文献１の吊り金具を、Ｈ形鋼梁の下フランジに形成されているフランジ側孔ではなく、ウェブに形成されているウェブ側孔に引っ掛けようとする場合、このウェブ側孔が下フランジに近い低い位置に形成されていると、このウェブ側孔に上記吊り金具をうまく引っ掛けることができないことがある。この場合、特許文献２に開示されたネット吊り下げ金具等を用いることになるが、このネット吊り下げ金具では、ウェブ側孔を貫通させたボルトにナットを締める必要があり、作業負担が大きい。また、例えば、溝型鋼桁のウェブに形成されている孔に上記特許文献１の吊り金具を取り付けようとする場合、上記溝型鋼桁の屋外側に外壁面材が取り付けられていると、この外壁面材が邪魔になって、上記特許文献１の吊り金具をうまく取り付けることができない場合がある。
【０００６】
この発明は、上記の事情に鑑み、引っ掛け対象の孔部の近傍に障害物が存在するような場合でも、引っ掛けが可能になる引っ掛け具を提供することを目的とする。
【課題を解決するための手段】
【０００７】
この発明の引っ掛け具は、上記の課題を解決するため、係止部を有する引っ掛け部材を複数組み合わせて成り、上記複数の引っ掛け部材が上記係止部を互いに離間させて係止幅が広がることにより、引っ掛け対象の孔部への上記係止部による引っ掛け状態が形成されることを特徴とする。
【０００８】
上記の構成であれば、引っ掛け対象の孔部の近傍に障害物が存在しても、引っ掛け対象の孔部の奥側に上記係止部が受け入れられる空間がありさえすれば、当該引っ掛け具を引っ掛け対象にその孔部を利用して引っ掛けることができる。
【０００９】
各引っ掛け部材には貫通孔が形成されており、上記複数の引っ掛け部材が重ねられて上記係止部による係止幅を広げた状態で上記貫通孔が重なり、この重なった貫通孔に挿入される部材により、上記係止部による係止幅を広げた状態が保持されてもよい。これによれば、当該引っ掛け具を引っ掛け対象に孔部を利用して引っ掛けた状態が、上記部材を上記貫通孔に挿入することで簡単に保持することができる。
【００１０】
上記貫通孔には上記部材としてフックが挿入されてもよい。これによれば、当該引っ掛け具によって上記フックを支持し、このフックを用いて何かを引っ掛けることができると同時に、このフックによって上記係止部による係止幅を広げた状態を保持することができる。
【００１１】
上記複数の引っ掛け部材が相互に回動可能となるように連結されていてもよい。これによれば、複数の引っ掛け部材の相互の回動動作によって、引っ掛け対象への引っ掛け操作および引っ掛け対象からの取り外し操作が行えることになり、使い勝手が良いものとなる。
【００１２】
上記複数の引っ掛け部材が軸部材によって相互に回動可能とされていてもよい。
【００１３】
また、第１の回動状態で上記係止幅が広がる状態が形成され、第２の回動状態で上記係止幅が狭まり、上記複数の引っ掛け部材の係止部を同時に上記孔部へ挿通できる状態が形成されてもよい。
【００１４】
或いは、上記の引っ掛け具において、上記複数の引っ掛け部材が分離状態にまたは分離可能に設けられており、個別に上記孔部へ挿入できるようにしてもよい。係る構成においても特に問題なく引っ掛け操作を行うことが可能となる。
【００１５】
上記複数の引っ掛け部材の形状が同一形状であってもよい。これによれば、上記引っ掛け部材を作製する打ち抜き型等を複数種類作製する必要がないので、作製コストの低減を図ることができる。
【００１６】
これらの引っ掛け具において、上記引っ掛け対象を建物の構造材とし、建物の建築途中に設けられる安全ネットの取り付けに使用されるようにしてもよい。
【発明の効果】
【００１７】
本発明であれば、引っ掛け対象の孔部の近傍に障害物が存在しても、引っ掛け対象の孔部の奥側に上記係止部が受け入れられる空間がありさえすれば、当該引っ掛け具を引っ掛け対象に孔部を利用して引っ掛けることができる。
【図面の簡単な説明】
【００１８】
【図１】実施形態の引っ掛け具を示す図であって、同図（Ａ）は引っ掛け具の正面図であり、同図（Ｂ）は引っ掛け具の側面である。
【図２】図１の引っ掛け具の回動動作を示した説明図である。
【図３】図１の引っ掛け具を引っ掛け対象の孔部に挿入して引っ掛ける様子を示した説明図である。
【図４】図１の引っ掛け具の貫通孔にフックを通した状態を示した説明図である。
【図５】図１の引っ掛け具の貫通孔にフックを通した状態を示した説明図である。
【図６】図１の引っ掛け具を引っ掛け対象である溝型鋼からなる軒桁の孔部に係合させた状態を示した説明図である。
【図７】他の実施形態の引っ掛け具の回動動作を示した説明図である。
【図８】図７の引っ掛け具の貫通孔にフックを通した状態を示した説明図である。
【発明を実施するための形態】
【００１９】
以下、この発明の一態様に係る実施形態を添付図面に基づいて説明する。図１（Ａ）、図１（Ｂ）および図２に示すように、この実施形態の引っ掛け具１は、２個の引っ掛け部材１０を相互に回動自在に重ね合わせて成るものである。両引っ掛け部材１０としては、例えば、金属板から打ちぬかれた互いに同一の形状を有するものを用いることができる。
【００２０】
各引っ掛け部材１０は、その長手方向の先端側に係止部１１を有し、中間部に押し操作部１２を有し、後端側に貫通孔１３を有している。また、各引っ掛け部材１０の上記押し操作部１２よりも上記貫通孔１３側の位置には、連結用貫通部が形成されている。上記連結用貫通部に挿入されてかしめられたリベット等の軸部材１４によって、上記２個の重ね合わされた引っ掛け部材１０が相互に回動可能となるように連結されている。
【００２１】
上記係止部１１は、各引っ掛け部材１０の長手方向に交差する方向であって互いに反対となる方向に突出するように曲げられた鉤状の形状を有している。また、各係止部１１の全体長さは、図３に示すように、引っ掛け対象５の孔部５１の幅(直径)よりも狭く形成されており、かつ、２個の引っ掛け部材１０が重ね合わされた状態での上記係止部１１の全体横幅の最小値も、上記孔部５１の幅よりも狭くなるようにしている。また、上記係止部１１の高さ（荷重を受ける方向の厚さ）は、引っ掛け具１の用途に基づく負荷荷重を想定して決定される。
【００２２】
上記押し操作部１２も、各引っ掛け部材１０の長手方向と交差する方向であって互いに反対となる方向に突出している。この例では、上記押し操作部１２は、略半円形状を有しているが、このような形状に限るものではない。そして、図１に示した状態、すなわち、２個の重ね合わされた引っ掛け部材１０の係止部１１が互い離間している状態（これを第１の回動状態とする）から、上記押し操作部１２を押して両引っ掛け部材１０を回動させることができる。この回動により、図３（上側）に示しているように、上記係止部１１が互いに重なり合って引っ掛け具１の先端の全体横幅が狭くなり、この引っ掛け具１の先端を上記孔部５１に挿入することができるようになる（これを第２の回動状態とする）。
【００２３】
上記貫通孔１３は、上記第２の回動状態、すなわち、両係止部１１により形成される全体横幅が狭くなる状態では重ならないが、図３（下側）に示したように、上記第１の回動状態、すなわち、上記引っ掛け部材１０の両係止部１１が互い離間して略Ｔ字状をなす状態において互いに重なるようになっている。また、この状態では、両係止部１１により形成される係止幅が上記孔部５１の幅よりも広がり、引っ掛け対象５の孔部５１への上記係止部１１による引っ掛け状態が形成されることになる。なお、この例では、上記貫通孔１３は、真円ではなく、引っ掛け部材１０の長手方向に長い長孔となっている。
【００２４】
上記２個の重ね合わされた引っ掛け部材１０の貫通孔１３同士が互いに重なり合う状態では、図４および図５に示すように、当該貫通孔１３にフック７等の部材を通すことができる。ここで、上記引っ掛け対象５は、例えば、図６に示すように、建物の構造材である溝型鋼による軒桁５（引っ掛け対象５と同一の符号を付記している）や図示しないＨ形鋼梁等とされ、上記フック７には、建物の建築途中に設けられる図示しない安全ネットを取り付けることができる。なお、この場合、外壁面材６が上記フック７を直接に軒桁５に引っ掛けるときの障害物６（外壁面材６と同一の符号を付記している）となることがある。
【００２５】
上記の構成であれば、図３に示したように、引っ掛け対象５の孔部５１の近傍に障害物６が存在しても、引っ掛け対象５の孔部５１の奥側に上記係止部１１が受け入れられる空間がありさえすれば、当該引っ掛け具１を引っ掛け対象５にその孔部５１を利用して引っ掛けることができる。また、溝型鋼による軒桁５に限らず、Ｈ形鋼のフランジの下部側に孔部が存在する場合も、当該孔部にフック７を直接引っ掛けることが難しいが、このような孔部にも当該引っ掛け具１を簡単に引っ掛けることができる。
【００２６】
上記の例では、各引っ掛け部材１０に上記貫通孔１３が形成されており、上記係止部１１による係止幅を広げた状態で上記貫通孔１３が重なり、この重なった貫通孔１３に挿入される部材により、上記係止部１１による係止幅を広げた状態が保持される。したがって、上記重なった貫通孔１３に上記部材を挿入するだけで引っ掛け対象５への引っ掛け状態が保持されるため、この保持のための機構を当該引っ掛け具１が備える必要を無くして、この引っ掛け具１の低コスト化を図ることができることになる。そして、上記貫通孔１３は上記部材としてフック７が挿入される構成であると、当該引っ掛け具１によって上記フック７を支持し、このフック７を用いて安全ネット等を引っ掛けることができると同時に、このフック７によって上記係止部１１による係止幅を広げた状態を保持することができる。
【００２７】
また、上記２個の引っ掛け部材１０が相互に回動可能となるように連結されていると、この相互の回動動作によって引っ掛け対象５への引っ掛け操作および引っ掛け対象５からの離脱操作が行えることになるので、使い勝手の良いものとなる。また、上記２個の引っ掛け部材１０が軸部材１４によって相互に回動可能とされていると、さらに使い勝手が良くなる。また、上記引っ掛け部材１０の形状が同一形状であると、上記引っ掛け部材１０を作製する打ち抜き型等を複数種類作製する必要がないので、作製コストの低減を図ることができる。もちろん、上記引っ掛け部材１０の形状が同一形状でなくてもよいものである。
【００２８】
また、上記貫通孔１３が各引っ掛け部材１０の長手方向に長い長孔となっていると、例えば、上記フック７の先端部の断面形状が縦長の略楕円状に扁平にされた場合にも、これを通すことができる。もちろん、上記貫通孔１の形状はこのような長孔に限定されるものではない。また、フック７の形状も、図に示したものに限定されず、いわゆるカラビナ等の形状を有していてもよい。
【００２９】
次に、他の実施形態について説明していく。図７および図８に示すように、この実施形態の引っ掛け具１の各引っ掛け部材１０は、その先端側に傾斜曲げ部１１ａを備えている。そして、この傾斜曲げ部１１ａの先端に上記係止部１１が形成されている。上記傾斜曲げ部１１ａは、上記係止部１１を上記孔部５１に入れ込んでいく過程において、この孔部５１の縁に押されて、自動的に上記係止部１１による係止幅を広げた状態を形成させる。なお、この引っ掛け具１においては、貫通孔１３は円形に形成されている。
【００３０】
また、これらの実施形態では、上記２個の引っ掛け部材１０が軸部材１４によって相互に回動可能とされたが、これに限らず、上記２個の引っ掛け部材１０が磁石等によって相互に接合されて回動するようにしてもよい。上記磁石は、上記軸部材１４が設けられる連結用貫通部に圧入されてもよい。
【００３１】
上記磁石を用いる場合、上記２個の引っ掛け部材１０を相互に着脱自在とし、当該２個の引っ掛け部材１０が分離状態にまたは分離可能に設けられる構造とすることができる。このような構造であると、各引っ掛け部材１０を個別に順次的に上記孔部５１へ挿入できるようになる。各引っ掛け部材１０を個別に順次的に上記孔部５１へ挿入できると、各係止部１１の長さを、引っ掛け対象５の孔部５１の幅(直径)よりも多少長くすることも可能である。そして、各引っ掛け部材１０を個別に上記孔部５１へ挿入した後、上記磁石によって相互に重ねて連結させ、上記係止部１１による係止幅を広げた状態を形成させることができる。なお、この構成においても、各引っ掛け部材１０に貫通孔１３を形成しておき、これにフック７等の部材を通し、上記係止部１１による係止幅を広げた状態を保持させるようにしてもよい。また、上記磁石に限らず、螺子、紐、ホック、輪部材等の係合手段を適宜用いることで、各引っ掛け部材１０を個別に上記孔部５１へ挿入できるとともに、この挿入後に両者を重ねて連結できるようにしてもよい。
【００３２】
また、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１      ：引っ掛け具
５      ：引っ掛け対象（軒桁）
６      ：障害物（外壁面材）
７      ：フック
１０    ：引っ掛け部材
１１    ：係止部
１１ａ  ：傾斜曲げ部
１２    ：押し操作部
１３    ：貫通孔
１４    ：軸部材
５１    ：孔部
【図１】
2019044344.tif 000003
【図２】
2019044344.tif 000004
【図３】
2019044344.tif 000005
【図４】
2019044344.tif 000006
【図５】
2019044344.tif 000007
【図６】
2019044344.tif 000008
【図７】
2019044344.tif 000009
【図８】
2019044344.tif 000010